(57)【要約】本発明は、端末機と活性集合を構成する基地局を含む移動通信システムで、前記端末機の伝送電力制御命令により複数の基地局からの共通電力制御チャンネルの電力を制御する方法において、前記端末機が基地局からパイロット信号を受信し、最高電力レベルを有するパイロット信号を伝送した基地局を選択する過程と、前記端末機が選択された基地局とのチャンネル状態識別情報を伝送する過程と、前記選択された基地局が前記チャンネル状態を識別する情報に基づいて前記端末機に伝送される共通電力制御チャンネルの電力を制御する過程とを含むことを特徴とする。
2005507605.tif 000002
【特許請求の範囲】
【請求項１】
端末機と活性集合を構成する基地局を含む移動通信システムで、前記端末機の伝送電力制御命令により複数の基地局からの共通電力制御チャンネルの電力を制御する方法において、
前記端末機が基地局からパイロット信号を受信し、最高電力レベルを有するパイロット信号を伝送した基地局を選択する過程と、
前記端末機が選択された基地局とのチャンネル状態識別情報を伝送する過程と、
前記選択された基地局が、前記チャンネル状態を識別する情報に基づいて、前記端末機に伝送される共通電力制御チャンネルの電力を制御する過程と
を含むことを特徴とする方法。
【請求項２】
前記基地局から受信された信号強度により電力制御ビットを検出し、前記基地局に検出された電力制御ビットを伝送する過程と、
前記選択されない基地局が、前記受信された電力制御ビットに基づいて、前記端末機に伝送された共通電力制御チャンネルの電力を制御する過程と
を含む請求項１記載の方法。
【請求項３】
端末機と活性集合を構成する基地局を含む移動通信システムで、前記端末機の伝送電力制御命令により複数の基地局からの共通電力制御チャンネルの電力を制御する方法において、
前記端末機が基地局からパイロット信号を受信し、最高電力レベルを有するパイロット信号を伝送した基地局を選択する過程と、
前記選択された基地局とのチャンネル状態を識別する情報をチャンネル品質指示チャンネルを通じて伝送し、前記端末機が前記基地局から受信された信号強度による電力制御ビットを検出し、パイロットチャンネルを通じて前記基地局に前記検出された電力制御ビットを伝送する過程と、
前記基地局が前記端末機から前記チャンネル品質指示チャンネルと前記パイロットチャンネルを受信する過程と、
前記基地局で前記受信されたチャンネル品質指示チャンネルの電力を測定する過程と、
前記測定された電力が予め定められた基準より大きいか等しいならば、前記選択された基地局がチャンネル品質指示チャンネルを通じて受信されたチャンネル状態情報に基づいて前記端末機に伝送される共通電力制御チャンネルの電力を制御する過程と、
前記測定された電力が前記予め決定される基準より小さいならば、前記選択された基地局が前記パイロットチャンネルを通じて受信された電力制御ビットに基づいて前記端末機に伝送する前記共通電力制御チャンネルの電力を制御する過程と
を含むことを特徴とする方法。
【請求項４】
前記選択されない基地局が前記受信された電力制御ビットに基づいて前記端末機に伝送された共通電力制御チャンネルの電力を制御する過程を更に含む請求項３記載の方法
【請求項５】
移動通信システムの電力制御装置において、
端末機と活性集合を構成する複数の基地局とを備え、
前記端末機は、
前記複数の基地局からパイロット信号を受信し、前記受信されたパイロット信号の電力を測定する受信機と、
前記測定されたパイロット信号のうち最高電力レベルを有するパイロット信号を伝送した基地局を選択し、前記選択された基地局に前記選択された基地局とのチャンネル状態を識別するための情報を伝送し、前記複数の基地局から受信された状態情報により電力制御ビットを検出し、前記基地局に前記検出された電力制御ビットを伝送する送信機とを含んでおり、
前記選択された基地局は、
前記端末機からチャンネル状態情報を受信する受信機と、
前記受信されたチャンネル状態情報に基づいて前記端末機に伝送される前記共通電力制御チャンネルの電力を制御する電力制御器とを含んでおり、
前記選択されない基地局のそれぞれは、
前記端末機から前記電力制御ビットを受信する受信機と、
前記受信された電力制御ビットに基づいて前記端末機に伝送された前記共通電力制御チャンネルの電力を制御する電力制御器と
を含んでなることを特徴とする装置。
【請求項６】
移動通信システムの電力制御装置において、
端末機と活性集合を構成する複数の基地局とを備え、
前記端末機は、
前記複数の基地局からパイロット信号を受信し、前記受信されたパイロット信号の電力を測定する受信機と、
前記測定されたパイロット信号のうち最高電力レベルを有するパイロット信号を伝送した基地局を選択し、前記選択された基地局に前記選択された基地局とのチャンネル状態を識別するための情報をチャンネル品質指示チャンネルを通じて伝送し、前記複数の基地局から受信された状態情報により電力制御ビットを検出し、前記複数の基地局に前記検出された電力制御ビットをパイロットチャンネルを通じて伝送する送信機とを含んでおり、
前記選択された基地局は、
前記端末機から前記チャンネル品質指示チャンネルと前記パイロットチャンネルを受信する受信機と、
前記受信されたチャンネル品質指示チャンネルが予め決定された基準より大きいとか等しいとかすれば、前記チャンネル品質指示チャンネルを通じて受信される前記チャンネル状態情報に基づいて前記端末機に伝送された前記共通電力制御チャンネルの電力を制御し、前記受信されたチャンネル品質指示チャンネルの電力が前記予め決定された基準より小さいと、前記パイロットチャンネルを通じて受信された前記電力制御ビットに基づいて前記端末機に伝送された前記共通電力制御チャンネルの電力を制御する電力制御器とを含んでおり、
前記選択されない基地局のそれぞれは、
前記端末機から前記チャンネル品質指示チャンネルと前記パイロットチャンネルを受信する受信機と、
前記パイロットチャンネルを通じて受信された前記電力制御ビットに基づいて前記端末機に伝送された前記共通電力制御チャンネルの電力を制御する電力制御器と
を含むことを特徴とする装置。
【発明の詳細な説明】
【技術分野】
【０００１】
本発明は、音声及びデータサービスを含むマルチメディアサービスを支援する移動通信システムに関するもので、特に順方向共通電力制御チャンネルの電力を制御するための装置及び方法に関するものである。
【背景技術】
【０００２】
典型的な移動通信システム、例えばＩＳ-２０００のような符号分割多重接続(Code Division Multiple Access：ＣＤＭＡ)方式の移動通信システムは、音声サービスのみを支援する形態である。しかし、使用者要求と共に通信技術が発展するにしたがって、移動通信システムは、データサービスを支援する形態にも発展している。例えば、ＨＤＲ(High Data Rate)は、高速のデータサービスのみを支援するために提案された移動通信システムである。
【０００３】
従来の移動通信システムは、音声サービスのみを支援する形態またはデータサービスのみを支援する形態で考えられた。すなわち、移動通信システムは、音声サービスとデータサービスを同時にサービスする必要があるにも関わらず、既存の移動通信システムは、各サービスを別途に支援する形態である。したがって、音声サービスを支援しながらこれと同時にデータサービスも支援できる移動通信システムの具現化が要求されている。このような要求による移動通信システムで最近いわゆる１xＥＶ-ＤＶ(Evolution Data and Voice)と呼ばれるシステムが提案されている。
【０００４】
図１は、従来技術による１xＥＶ-ＤＶ移動通信システムで順方向及び逆方向電力制御に係るチャンネルを示すものである。
同図に示すように、基地局(sector)は、端末機(mobile)からの逆方向パイロットチャンネル(Reverse Pilot Channel：Ｒ-ＰＩＣＨ)を測定して得られるＥｐ/Ｎｔ(パイロット信号対雑音比)を外部循環電力制御のための基準値(outer loop set point)と比べる。もし、この測定された信号対雑音比が前記基準値より大きい場合、順方向共通電力制御チャンネル(Forward Common Power Control Channel：Ｆ-ＣＰＣＣＨ)を利用して端末機に電力の“パワーダウン”、あるいは逆に“パワーアップ”の命令を指示する。
【０００５】
一方、図１は、端末機がソフトハンドオフ(soft handoff)中の場合を示す。この端末機は、ソフトハンドオフの遂行中の場合、２つ以上のセクター１、２からの順方向共通電力制御チャンネル(CPCCH1, CPCCH2)を受信し、この受信したＣＰＣＣＨのうちいずれか一つ以上で“パワーダウン”の指示がある場合、自分の伝送電力を減少させる。そして、すべてのセクターで“パワーアップ”の指示がある場合のみに伝送電力を増加させる。
【０００６】
また、図１で順方向に伝送されるＦ-ＣＰＣＣＨの伝送電力は、逆方向に伝送されるチャンネル品質指示チャンネル(Channel Quality Indicator Channel：ＣＱＩＣＨ)を利用してなされる。このＣＱＩＣＨは、端末機が特定セクターに対して測定した順方向共通パイロットチャンネル(common pilot channel)の受信信号強度(例えば、Carrier to Interference Ratio：Ｃ／Ｉ)値を前記セクターに伝送する役割をする。一般に、ＣＱＩＣＨは、自分の周囲にある多数のセクターから送信される共通パイロットチャンネルを測定し、この測定された値のうち一番高いＣ／Ｉ値を有するセクターである最適のセクター(best sector)のＣ／Ｉ値(または、順方向チャンネル状態情報)を該当セクターに伝送する。このＣＱＩＣＨを受信したセクターは、端末機が測定した順方向共通パイロットチャンネルのＣ／Ｉ値を用いてＣＰＣＣＨに割り当てる電力を定める。
【０００７】
上記図１のようにソフトハンドオフ状況で順方向及び逆方向の電力制御を遂行する場合、下記のような問題点が生じる。２つ以上のＣＰＣＣＨに対する順方向電力制御(power control)に関連した問題である。ソフトハンドオフ中の端末機に対しては、必須的に２つ以上のセクターからＣＰＣＣＨが伝送される。ここで、問題はソフトハンドオフ中の場合、一つの端末機に対して２つ以上のＣＰＣＣＨが伝送されるが、端末機は、１セクターの共通パイロットチャンネルのみを測定してＣＱＩＣＨに伝送することである。同図のように、２つのセクターがソフトハンドオフ中であり、セクター１がセクター２よりよい順方向チャンネル環境を有すると仮定した場合、端末機のＣＱＩＣＨは、セクター１の順方向共通パイロットチャンネルのみを測定した値を最適のセクターである前記セクター１に伝送する。すると、この最適のセクターであるセクター１は、端末機からＣＱＩＣＨを受信してここに乗せられた順方向チャンネルのＣ／Ｉ値を利用して自分が伝送するＣＰＣＣＨの伝送電力を決定することができる。一方、セクター２は、順方向チャンネルがセクター１に比べて悪いので、ＣＰＣＣＨの伝送電力を決定するのに利用できる順方向チャンネルのＣ／Ｉ値がない。
【０００８】
また、上記した問題点と共にソフトハンドオフの可否に関係なく、ＣＱＩＣＨの受信電力が一定水準に及ばないので除去(erasure)処理が生じる場合、基地局は、端末機に割り当てるＣＰＣＣＨシンボルの伝送電力を決定する方法がない。
【発明の開示】
【発明が解決しようとする課題】
【０００９】
本発明の目的は、移動通信システムで逆方向リンクの電力を制御するための電力制御命令を伝送する順方向共通電力制御チャンネル(ＣＰＣＣＨ)の電力を制御するための装置及び方法を提供することにある。
【課題を解決するための手段】
【００１０】
上記した目的を達成するために、端末機と活性集合を構成する基地局を含む移動通信システムで、前記端末機の伝送電力制御命令により複数の基地局からの共通電力制御チャンネルの電力を制御する方法において、前記端末機が基地局からパイロット信号を受信し、最高電力レベルを有するパイロット信号を伝送した基地局を選択する過程と、前記端末機が選択された基地局とのチャンネル状態識別情報を伝送する過程と、前記選択された基地局が前記チャンネル状態を識別する情報に基づいて前記端末機に伝送される共通電力制御チャンネルの電力を制御する過程とを含むことを特徴とする。
【００１１】
また本発明は、端末機と活性集合を構成する基地局を含む移動通信システムで、前記端末機の伝送電力制御命令により複数の基地局からの共通電力制御チャンネルの電力を制御する方法において、前記端末機が基地局からパイロット信号を受信し、最高電力レベルを有するパイロット信号を伝送した基地局を選択する過程と、前記選択された基地局とのチャンネル状態を識別する情報をチャンネル品質指示チャンネルを通じて伝送し、前記端末機が前記基地局から受信された信号強度による電力制御ビットを検出し、パイロットチャンネルを通じて前記基地局に前記検出された電力制御ビットを伝送する過程と、前記基地局が前記端末機から前記チャンネル品質指示チャンネルと前記パイロットチャンネルを受信する過程と、前記基地局で前記受信されたチャンネル品質指示チャンネルの電力を測定する過程と、前記測定された電力が予め定められた基準より大きいか等しいならば、前記選択された基地局がチャンネル品質指示チャンネルを通じて受信されたチャンネル状態情報に基づいて前記端末機に伝送される共通電力制御チャンネルの電力を制御する過程と、前記測定された電力が前記予め決定される基準より小さいならば、前記選択された基地局が前記パイロットチャンネルを通じて受信された電力制御ビットに基づいて前記端末機に伝送する前記共通電力制御チャンネルの電力を制御する過程とを含むことを特徴とする。
【発明の効果】
【００１２】
本発明は、移動通信システムにおいて、ハンドオフ状態で端末機が活性集合内のセクターの順方向共通電力制御チャンネルの電力を制御するための電力制御ビットをパイロットチャンネルを通じて伝送することにより、前記端末機から共通チャンネル品質指示チャンネルを受信しないセクターも、順方向共通電力制御チャンネルに対する電力制御を遂行することができる利点がある。
【発明を実施するための最良の形態】
【００１３】
以下、本発明の望ましい実施形態を添付の図面を参照して詳細に説明する。図面において、同一の構成要素に対しては、できるだけ同一の参照番号及び参照符号を付して説明する。また、下記の本発明の説明において、関連した公知機能または構成に対する具体的な説明が本発明の要旨を不明にする場合には、その詳しい説明を省略する。
【００１４】
以下の説明において、Ｆ-ＣＰＣＣＨ(Forward Common Power Control Channel)とＣＱＩＣＨ(Channel Quality Indicator Channel)は、順方向と逆方向に伝送されるチャンネルである。このＦ-ＣＰＣＣＨは、一つの符号チャンネルで多数の逆方向端末機の電力を制御する。前記ＣＱＩＣＨは、端末機が周囲のセクターから伝送される順方向共通パイロットチャンネル(common pilot channel)を測定して一番よい順方向チャンネルを有する最適セクター(best sector)のＣ／Ｉ値を該当基地局に伝達する。このＣＱＩＣＨに乗せられるもう一つの情報は、一番よい順方向チャンネルを有する最適セクターを指すセクター区分情報である。このＣＱＩＣＨを受信した最適セクターは、これら情報を用いて順方向パケットデータ(packet data)の伝送時点、変調(modulation)方式、符号化レート(code rate)などを決定する。
【００１５】
図２は、本発明の実施形態による移動通信システムで端末機が活性集合に含まれるセクターの順方向ＣＰＣＣＨの伝送電力を制御するための情報を生成するための手続きを示すものである。
図２を参照すれば、端末機は、ステップ２０１で活性集合(active set)内に含まれるすべてのセクターから順方向共通パイロットチャンネル（ＰＩＣＨ）の順方向共通電力制御チャンネル(ＣＰＣＣＨ)を受信する。この後、端末機は、ステップ２０２ですべてのセクターから受信した順方向共通パイロットチャンネルの受信の強度を測定して、いずれのセクターが最適の順方向チャンネル状態を有するかを決定し、このセクターを最適のセクターに決定する。すなわち、測定された受信の強度のうち一番大きい受信の強度を有するセクターを最適のセクターに決定する。また、最適セクターに伝送するＣＱＩＣＨに乗せる情報を決定する。前述したように、ＣＱＩＣＨに伝送される情報は、最適セクターを示すセクター区分情報と順方向共通パイロットチャンネルを測定して得る受信の強度(Carrier to interference：Ｃ／Ｉ)値である。なお、端末機は、ステップ２０４で活性集合に含まれるすべてのセクターから送信した自分のためのＣＰＣＣＨシンボル(電力制御ビット)のエネルギーを測定する。そして、端末機は、ステップ２０５で前記測定したＣＰＣＣＨシンボルのエネルギー値を利用して、活性集合に含まれるセクターに伝送する順方向電力制御のための電力制御ビット(Power Control Bit：ＰＣＢ)を決定する。この電力制御ビットを決定する方法は、多様であるが、例えば下記のような方法が使用できる。
【００１６】
（方法１）:活性集合に含まれるセクターから受信した自分のためのＣＰＣＣＨシンボルのエネルギーがすべて一定水準を超える場合には、電力減少の命令を、そうでない場合には、電力増加の命令を生成する。
（方法２）:活性集合に含まれるセクターから受信した自分のためのＣＰＣＣＨシンボルのエネルギーの平均が一定水準を超える場合には、電力減少の命令を、そうでない場合には、電力増加の命令を生成する。
【００１７】
この後、端末機は、ステップ２０６で、上記したように決定された電力制御ビット(ＰＣＢ)を逆方向パイロットチャンネルに乗せて逆方向に伝送する。同時に、端末機は、ステップ２０３で前記決定されたセクター区分情報と順方向共通パイロットチャンネルのＣ／Ｉ(または、順方向チャンネル状態情報)が乗せられるＣＱＩＣＨを前記決定された最適のセクターに伝送する。
【００１８】
図３は、本発明の実施形態による移動通信システムでセクターがＣＰＣＣＨの伝送電力を制御するための手続きを示すものである。
同図を参照すれば、まずセクターは、ステップ３０１で端末機からＣＱＩＣＨ及び逆方向パイロットチャンネルに乗せられたＰＣＢを受信する。その後、セクターは、ステップ３０２で前記受信したＣＱＩＣＨの受信電力を測定して除去遂行の可否を決定する。この除去遂行の可否決定は、受信電力を測定してこの値が所定基準値を超える場合にのみ復号(decoding)して利用し、所定の基準値を超えない場合には利用しない。このように除去過程の遂行可否ものである。もし、この受信したＣＱＩＣＨに対して除去の遂行可否を判断して除去を遂行しないと判定される場合、セクターは、前記受信したＣＱＩＣＨを復号して乗せられた情報を読み出す。そして、セクターは、ステップ３０３で復号の結果、得られた情報のうち最適セクター区分情報(Best Sector Indicator：ＢＳＩ)が前記セクターを示すかどうかを検査する。もし、セクター区分情報が自分を指す場合、セクターは、ステップ３０４でＣＱＩＣＨに乗せられた順方向共通パイロットチャンネルのＣ／Ｉに対する情報を利用してＣＰＣＣＨの伝送電力を決定する。もし、このステップ３０３でＣＱＩＣＨに乗せられた情報のうちＢＳＩが自分を指すのではない場合、セクターは、ステップ３０５に進んで逆方向パイロットチャンネル(Ｒ-ＰＩＣＨ)と共に受信した電力制御ビット(ＰＣＢ)によりＣＰＣＣＨの電力を制御する。
【００１９】
一方、ステップ３０２で前記受信したＣＱＩＣＨに対して除去を遂行すると判定されると、すなわちＣＱＩＣＨの受信電力が所定基準値を超えないと、セクターは、ステップ３０６で受信したＣＱＩＣＨを復号せず、前述したステップ３０５のように逆方向パイロットチャンネル(ＰＩＣＨ)と共に受信した電力制御ビットＰＣＢにより順方向共通電力制御チャンネル(ＣＰＣＣＨ)の電力を制御する。
【００２０】
図４は、本発明の実施形態による移動通信システムで順方向ＣＰＣＣＨ電力制御に関連したチャンネルの時間的動作を示すものである。
同図において、端末機は、パイロットチャンネル(ＰＩＣＨ)とチャンネル品質指示チャンネル(ＣＱＩＣＨ)をすべてのスロットで伝送する。トラヒックデータが伝送されるトラヒックチャンネルは、セクターに伝送するデータがある場合、このＰＩＣＨ及びＣＱＩＣＨと共に伝送される。図４には、端末機がソフトハンドオフされない場合を示す。前記ＣＱＩＣＨを特定セクターに伝送するというのは、該当セクターのＣ／Ｉを測定し、この測定されたＣ／Ｉ値を該当セクターが一定の受信性能を受信可能なように送信電力を制御して伝送することを意味する。図４において順方向ＣＰＣＣＨの送信電力を制御する方法は、次のようである。
【００２１】
同図で、逆方向に伝送されるＣＱＩＣＨは、セクター１の順方向Ｃ／Ｉ値とセクター１を指す最適セクターを指示するセクター区分情報を伝送する。また、パイロットチャンネル(ＰＩＣＨ)の一部は、順方向チャンネルの電力制御のためのＰＣＢ(Power Control Bit：図４の“Ｐ”)を伝送するのに利用される。端末機の逆方向ＣＱＩＣＨとＲ-ＰＩＣＨを受信したセクター１は、該当端末機のＣＱＩＣＨを受信して図３のステップ３０２のように除去過程の遂行可否を決定する。もし、ＣＱＩＣＨの受信電力が所定基準値を超えて除去を遂行しないと判定される場合、前記セクター１は、図３のステップ３０３のようにＣＱＩＣＨに乗せられる最適のセクターを指示するセクター区分情報が自分を指すかどうかを確認する。最適のセクターを指示するセクター区分情報が自分を指す場合、このセクター１は、受信したＣＱＩＣＨに乗せられる順方向Ｃ／Ｉ値を利用してＣＰＣＣＨの電力を制御する。一方、最適セクターを指示するセクター区分情報が自分を指すのではない場合、端末機は、受信したＰＣＢによりＣＰＣＣＨの電力を制御する。一方、除去を遂行すると判定された場合、端末機は、図３のステップ３０６のように受信したＰＣＢによりＣＰＣＣＨの電力を制御する。すなわち、セクターは、ＣＱＩＣＨのセクター区分情報が自分を指す場合、ＣＱＩＣＨに含まれる順方向パイロットチャンネルのＣ／Ｉを利用して順方向共通電力制御チャンネルの電力を制御し、もしＣＱＩＣＨが所定の基準値を超えなく、あるいは、ＣＱＩＣＨのセクター区分情報が自分を指すのではない場合、逆方向パイロットチャンネルの電力制御ビットを利用して順方向共通電力制御チャンネルの電力を制御する。
【００２２】
上述したように、図４は、図３の手続きによりＣＰＣＣＨがＣＱＣＩＨに乗せられる順方向Ｃ／Ｉ値または逆方向ＰＩＣＨの一部区間を占有して受信されるＰＣＢにより電力制御されることを示す。
図５は、本発明の実施形態による移動通信システムにおけるハンドオフ中の、順方向ＣＰＣＣＨ電力制御に関連したチャンネルの時間的動作を示すものである。同図に示すように、端末機は、パイロットチャンネル(ＰＩＣＨ)とチャンネル品質指示チャンネル(ＣＱＩＣＨ)をすべてのスロットで伝送する。トラヒックデータが伝送されるトラヒックチャンネルは、セクターに伝送するデータがある場合、前記ＰＩＣＨ及びＣＱＩＣＨと共に伝送される。図５は、端末機が２つのセクター間にソフトハンドオフされる場合を示す。端末機がＣＱＩＣＨを特定セクターに伝送するというのは、活性集合に含まれるセクターの順方向Ｃ／Ｉ値を測定して一番よい順方向チャンネル状態を有する最適のセクターに、前記測定された最適セクターの順方向Ｃ／Ｉ値を該当セクターが一定の受信性能で受信できるように送信電力を制御して伝送することを意味する。図５で、Ｆ-ＣＰＣＣＨの送信電力を制御する方法は、下記の通りである。
【００２３】
上記図５で端末機は、セクター１とセクター２を自分の活性集合内に含んでおり、セクター１を最適セクターとして示していると仮定する。したがって、図５で逆方向に伝送されるチャンネル品質指示チャンネルは、セクター１の順方向Ｃ／Ｉ値とセクター１を示す最適セクターを指示するセクター区分情報を伝送する。また、パイロットチャンネル(Ｒ-ＰＩＣＨ)の一部は、順方向チャンネルの電力制御のためのＰＣＢ(Power Control Bit)を伝送するのに利用される。端末機の逆方向ＣＱＩＣＨとＲ-ＰＩＣＨを受信したセクター１は、該当端末機のＣＱＩＣＨを受信して上記図３に示したように、ステップ３０２のように除去過程の遂行可否を決定する。もし、除去を遂行しないと判定される場合、セクター１は、ステップ３０３のようにＣＱＩＣＨに乗せられる最適セクターを指示するセクター区分情報が自分を指すかどうかを確認する。ここで、ＣＱＩＣＨのセクター区分情報は、セクター１を示すので、このセクター１は、受信したＣＱＩＣＨに乗せられる順方向Ｃ／Ｉ値を利用してＣＰＣＣＨの電力を制御する。もし、除去を遂行すると判定された場合、端末機は、ステップ３０６のように受信したパイロットチャンネルの電力制御ビット(ＰＣＢ)によりＣＰＣＣＨの電力を制御する。
【００２４】
一方、セクター２もセクター１と同様に、図３のステップ３０２のように受信したＣＱＩＣＨの受信電力で除去の遂行可否を判定する。もし、除去を遂行しないと判定された場合、セクター２は、図３のステップ３０３のようにＣＱＩＣＨに乗せられる最適セクターを指示するセクター区分情報が自分を指すかどうかを確認する。ここで、ＣＱＩＣＨのセクター区分情報は、セクター１を示すので、セクター２は、図３のステップ３０６のように受信したパイロットチャンネルの電力制御ビットによりＣＰＣＣＨの電力を制御する。すなわち、セクター２は、最適セクターではないので、除去を遂行しないと判定されてもＣＱＩＣＨのセクター区分情報が自分を指していないので、つまりＰＣＢによりＣＰＣＣＨの電力を制御する。
【００２５】
上述したように、図５は、図３の手続きによりソフトハンドオフ中の端末機に伝送されるＣＰＣＣＨが、逆方向ＣＱＣＩＨに乗せられる順方向Ｃ／Ｉ値または逆方向ＰＩＣＨの一部区間を占有して受信されるＰＣＢにより電力制御されることを示す。
図６は、本発明の実施形態による移動通信システムで端末機側の順方向ＣＰＣＣＨ電力制御に係るチャンネルの時間的動作を示すものである。
【００２６】
同図において、端末機は、活性集合に含まれるすべての基地局から順方向共通パイロットチャンネルとＣＰＣＣＨを受信する。すなわち、端末機は、最適セクターのセクター１とそれ以外の活性集合に含まれるセクターが送信した順方向共通パイロットチャンネルとＣＰＣＣＨを受信する。端末機は、受信した最適セクターの順方向共通パイロットチャンネルを測定した値(Ｃ／Ｉ値)をＣＱＩＣＨを通じて伝送する。また、セクター１、セクター２で受信したＣＰＣＣＨのうち、自分に伝送されたシンボルの受信電力を測定してセクター１、セクター２に共通に適用できる電力制御ビット(ＰＣＢ)を決定する。図５及び図６は、活性集合に２つのセクターが含まれる場合の時間的動作であるが、活性集合に存在するセクターの数が２つ以上の場合に同一に適用される。
【００２７】
図７は、本発明の実施形態によるＣＰＣＣＨの電力制御のための端末機の送受信機の構造を示すものである。図示のように、端末機は、ＰＮ逆拡散器７０１、ウォルシュ逆拡散器７０２及び７０６、ＰＩＣＨエネルギー測定器７０３、ＣＱＩＣＨ情報生成器７０４、ウォルシュ拡散器７０５及び７０９、ＣＰＣＣＨエネルギー測定器７０７、ＰＣＢ生成器７０８、及びＰＮ拡散器７１０を含む。
【００２８】
図７を参照すれば、ＰＮ逆拡散器７０１は、受信信号と所定ＰＮ符号を乗算して基地局で遂行されたＰＮ拡散の逆過程を遂行する。ウォルシュ逆拡散器７０２は、ＰＮ逆拡散器７０１からのＰＮ逆拡散された信号と順方向パイロットチャンネルに割り当てられたウォルシュ符号を掛けて、基地局で遂行されたウォルシュ拡散の逆過程を遂行する。ＰＩＣＨエネルギー測定器７０３は、ウォルシュ逆拡散器７０２から出力されるパイロットチャンネル信号の受信電力を測定する。ここで、端末機は、複数のセクターからのパイロットチャンネル信号を受信して、それぞれのパイロットチャンネルに対する受信電力を測定する。ＣＱＩＣＨ情報生成器７０４は、順方向ＰＩＣＨに対して測定された受信電力を用いてＣＱＩＣＨに伝送する情報を決定し、この決定された情報を符号化する。このＣＱＩＣＨ情報は、順方向パイロット信号のうち受信電力が一番大きなセクターを示すセクター区分情報とその受信電力値(Ｃ／Ｉ)である。ウォルシュ拡散器７０５は、ＣＱＩＣＨ情報生成器７０４からの前記符号化された信号と所定のウォルシュ符号を掛けてＣＱＩＣＨに対するウォルシュ拡散を遂行する。
【００２９】
一方、ウォルシュ逆拡散器７０６は、ＰＮ逆拡散器７０１からの前記ＰＮ逆拡散された信号と順方向ＣＰＣＣＨに割り当てられたウォルシュ符号を掛けて、基地局で遂行されたウォルシュ拡散の逆過程を遂行する。ＣＰＣＣＨエネルギー測定器７０７は、前記ウォルシュ逆拡散器７０６からのＣＰＣＣＨで該当端末機のためのシンボルの受信電力を測定して出力する。ここで、前記端末機は、多数のセクターからＣＰＣＣＨを受信し、この受信されたＣＰＣＣＨからの取り出された複数のシンボルの受信電力を測定する。ＰＣＢ生成器７０８は、前記ＣＰＣＣＨに対して測定された複数の受信電力を利用して上述した方法により電力制御ビット(ＰＣＢ)を決定して出力する。ウォルシュ拡散器７０９は、ＰＣＢ生成器７０８からの電力制御ビットと逆方向パイロットチャンネル(Ｒ-ＰＩＣＨ)に対してウォルシュ拡散を遂行する。ＰＮ拡散器７１０は、このウォルシュ拡散器７０５及び７０９からの信号を加算してからＰＮ拡散して送信する。
【００３０】
図８は、本発明の実施形態によるＣＰＣＣＨの電力制御のためのセクターの送受信機構造を示すものである。図示のように、このセクターは、ＰＮ逆拡散器８０１、ウォルシュ逆拡散器８０２及び８０６、チャンネル補償器８０３及び８０７、ＣＱＩＣＨ除去検出器８０４、ＣＱＩＣＨ復号器８０５、ＰＣＢ受信機８０８，ＣＰＣＣＨ利得調整器８０９、そしてＣＰＣＣＨ信号発生器８１０を含んでいる。
【００３１】
同図を参照すれば、まずＰＮ逆拡散器８０１は、受信信号と所定ＰＮ符号を掛けて端末機で遂行されたＰＮ拡散の逆過程を遂行する。ウォルシュ逆拡散器８０２は、ＰＮ逆拡散器８０１からの信号とＣＱＩＣＨに割り当てられる所定ウォルシュ符号を掛けて、端末機で遂行されたウォルシュ拡散の逆過程を遂行する。チャンネル補償器８０３は、ウォルシュ逆拡散器８０２からのＣＱＩＣＨのチャンネル信号とパイロットチャンネルを推定して得られたチャンネル推定信号の共役(conjugate)信号を掛けてチャンネル補償を遂行する。ＣＱＩＣＨ除去検出器８０４は、前記チャンネル補償器８０３からのチャンネル補償されたＣＱＩＣＨの受信エネルギーを測定し、この測定された受信エネルギーと所定の基準値とを比べて除去の遂行可否を決定して出力する。一方、除去を遂行しないと判断された場合、除去検出器８０４は、チャンネル補償器８０３からのＣＰＣＣＨのチャンネル信号を前記ＣＱＩＣＨ復号器８０５に提供する。すなわち、ＣＱＩＣＨに乗せられるエネルギー量を基準として受信されたＣＱＩＣＨが一定の受信性能が保障できるかどうかを判断し、その結果をＣＰＣＣＨ利得調整器８０９に通報する。このＣＱＩＣＨ復号器８０５は、前記ＣＱＩＣＨが除去を遂行しない場合、前記ＣＱＡＩＣＨのチャンネル信号を復号化してセクター区分情報と順方向Ｃ／Ｉ値を復元し、そのセクター区分情報とＣ／Ｉ値をＣＰＣＣＨ利得調整器８０９に提供する。
【００３２】
一方、ウォルシュ逆拡散器８０６は、ＰＮ逆拡散器８０１からのＰＮ逆拡散された信号とパイロットチャンネルに割り当てられた所定のウォルシュ符号を掛けて端末機で遂行されたウォルシュ逆拡散の逆過程を遂行する。チャンネル補償器８０７は、前記ウォルシュ逆拡散器８０６からの信号と前記チャンネル推定信号の共役信号を掛けてチャンネル補償を遂行する。ＰＣＢ受信機８０８は、ＰＩＣＨの一部分を占有して送信されたＰＣＢに対していずれの情報が受信されたかを判定して出力する。このＣＰＣＣＨ利得調整器８０９は、ＣＱＩＣＨ除去検出器８０４からのＣＱＩＣＨの除去過程の遂行可否、前記ＣＱＩＣＨ復号器８０５からのＣＱＩＣＨに乗せられる順方向Ｃ／Ｉ値及びセクター区分情報、ＰＣＢ受信機８０８からのＰＣＢを用いて該当端末機に伝送するＣＰＣＣＨシンボルの利得を決定して出力する。ここで、ＣＰＣＣＨ利得調整器８０９は、セクター区分情報が自分を指すとき、順方向Ｃ／ＩによりＣＰＣＣＨシンボルの利得を調整し、それ以外のセクター区分情報が自分を指すのではなく、あるいは除去処理が発生した場合、電力制御ビットによりＣＰＣＣＨシンボルの利得を調整する。ＣＰＣＣＨ信号生成器８０８は、ＣＰＣＣＨ利得調整器８０９で決定されたＣＰＣＣＨシンボルの利得により電力調整されたＣＰＣＣＨの信号を発生する。
【００３３】
一方、本発明の詳細な説明では、具体的な実施形態に関して説明したが、本発明の範囲を外れない限り多様な変形が可能であることはもちろんである。したがって、本発明の範囲は、説明された実施形態に局限して定められてはいけないし、特許請求の範囲だけでなくこれら範囲と均等なものにより定められるべきである。
【図面の簡単な説明】
【００３４】
【図１】従来技術による移動通信システムで順方向及び逆方向電力制御に係るチャンネルを示す図である。
【図２】本発明の実施形態による移動通信システムで端末機が活性集合に含まれるセクターの順方向ＣＰＣＣＨの伝送電力を制御するための情報を生成する手続きを示す図である。
【図３】本発明の実施形態による移動通信システムでセクターがＣＰＣＣＨの伝送電力を制御するための手続きを示す図である。
【図４】本発明の実施形態による移動通信システムで順方向ＣＰＣＣＨが電力制御に係るチャンネルの時間的動作を示す図である。
【図５】本発明の実施形態による移動通信システムでハンドオフ時に順方向ＣＰＣＣＨの電力制御に係るチャンネルの時間的動作を示す図である。
【図６】本発明の実施形態による移動通信システムで端末機側から順方向ＣＰＣＣＨの電力制御に係るチャンネルの時間的動作を示す図である。
【図７】本発明の実施形態によるセクターがＣＰＣＣＨの電力を制御するための信号を送受信するための装置を示す図である。
【図８】本発明の実施形態による端末機がＣＰＣＣＨの電力制御のための信号を送受信するための装置を示す図である。
【符号の説明】
【００３５】
７０１，８０１…ＰＮ逆拡散器
７０２．７０６，８０２，８０６…ウォルシュ逆拡散器
７０３…ＰＩＣＨエネルギー測定器
７０４…ＣＱＩＣＨ情報生成器
７０５，７０９，８０５…ウォルシュ拡散器
７０７…ＣＰＣＣＨエネルギー測定器
７０８，８０８…ＰＣＢ生成器
７１０…ＰＮ拡散器
８０３，８０７…チャンネル補償器
８０４…ＣＱＩＣＨ除去検出器
８０５…ＣＱＩＣＨ復号器
８０８…ＰＣＢ受信機
８０９…ＣＰＣＣＨ利得調整器
８１０…ＣＰＣＣＨ信号発生器
【国際公開パンフレット】
2005507605.tif 000003
2005507605.tif 000004
2005507605.tif 000005
2005507605.tif 000006
2005507605.tif 000007
2005507605.tif 000008
2005507605.tif 000009
2005507605.tif 000010
2005507605.tif 000011
2005507605.tif 000012
2005507605.tif 000013
2005507605.tif 000014
2005507605.tif 000015
2005507605.tif 000016
2005507605.tif 000017
2005507605.tif 000018
2005507605.tif 000019
2005507605.tif 000020
2005507605.tif 000021
2005507605.tif 000022
2005507605.tif 000023
2005507605.tif 000024
2005507605.tif 000025
2005507605.tif 000026
2005507605.tif 000027
2005507605.tif 000028
【国際調査報告】
2005507605.tif 000029
2005507605.tif 000030